(57)【要約】      （修正有）【課題】膝の上に置いて使用するときに、片手で押えなくともタブレット端末を安定的に置いておくことができるアタッチメントを提供する。【解決手段】アタッチメント１は、互いに回動自在に連設された表面保護部３および背面ベース部を備え、タブレット端末Ｔを背面ベース部側に装着すると保護ケースになる。また、表面保護部３に設けられたヒンジ部１１を利用すると、斜めに立たせた状態とできる。背面ベース部には左右両側からそれぞれ外方に延びる一対の連結部１９、１９が連設され、各連結部１９にはベルトが連結可能な挿通孔２１が形成されているので、首掛け用のベルトをその挿通孔２１に連結してベルトを繋げば首掛け支持可能な状態にできる。従って、走行中に、ガタンガタンという比較的規則正しいリズムで縦揺れを常時受けるだけでなく、カーブを通過する際には突然大きく不規則に横揺れも受けるような、電車やバス等の移動車両中でも、膝に置いての両手操作が可能となる。【選択図】図１
0003197784.tif 000002
【実用新案登録請求の範囲】
【請求項１】
互いに回動自在に連設された表面保護部および背面保護部と、前記保護部に設けられたヒンジ部を利用したスタンド機構と、前記背面保護部の本体の左右両側からそれぞれ外方に延びる一対の連結部と、各連結部に形成され、ベルトが連結可能な挿通孔とを備える首掛け支持機構とを備え、
タブレット端末を前記背面保護部に装着し、非使用時には前記表面保護部を被せて保護すると共に、膝置き使用時には前記保護部の回動とヒンジ部での折り返しにより前記保護部を立掛けスタンドにすると共に、首掛け用のベルトを前記挿通孔に連結して前記ベルトで首掛け支持可能な状態にできることを特徴とする携帯用タブレットアタッチメント。
【請求項２】
請求項１に記載した携帯用タブレットアタッチメントにおいて、
背面側保護部は、表面保護部と連設された背面ベース部と、前記背面ベース部に対して回転自在に支持された端末装着部とで構成されており、連結部が背面ベース部側に取り付けられていることを特徴とする携帯用タブレットアタッチメント。
【請求項３】
請求項２に記載した携帯用タブレットアタッチメントにおいて、
背面ベース側の回転軸が端末装着部側に移動可能に構成されていることを特徴とする携帯用タブレットアタッチメント。
【請求項４】
請求項３に記載した携帯用タブレットアタッチメントにおいて、
端末装着部側の長円孔に背面ベース側の回転軸が摺動自在に挿入されて回転と平行移動が可能になっていることを特徴とする携帯用タブレットアタッチメント。
【請求項５】
請求項２から４のいずれかに記載した携帯用タブレットアタッチメントにおいて、
背面ベース部は金属板または樹脂板で構成されていることを特徴とする携帯用タブレットアタッチメント。
【考案の詳細な説明】
【技術分野】
【０００１】
本考案はタブレット端末に装着して使用する携帯用タブレットアタッチメントに関するものである。
【背景技術】
【０００２】
最近広く普及しているタブレット端末は、軽量且つコンパクトで、さらにタッチパネルで簡単に操作可能であることから、電子メールの送受信やスケジュール管理などに利用されている。
【０００３】
そのため、タブレット端末は常時携帯されることになり、最近では、鞄等に入れたときに瑕が付かないように、特許文献１に示すように、書籍のハードカバー状の保護ケースの使用が提案されている。
【先行技術文献】
【特許文献】
【０００４】
【特許文献１】特開２０１４−１２０９０９号公報
【考案の概要】
【考案が解決しようとする課題】
【０００５】
上記のようにどこでもタブレット端末を携帯するのが普通になってくると、電車やバス等の移動車両に乗って移動している途中でも、メモ書きや内容の確認等にタブレット端末を利用して行いたい場合が出てくる。
而して、従来のタブレット端末は比較的小さかったので片手での操作が可能であったが、最近では９インチサイズ以上のディスプレイを搭載している機種が増えてきている。画面が大きければ大きいほど、視認性も上がるが、その一方、片手で全てを操作するのは難しくなる。
特に、電車やバス等に乗っている場合には、走行中に、ガタンガタンという比較的規則正しいリズムで縦揺れを常時受けるだけでなく、カーブを通過する際には突然大きく不規則に横揺れも受けるので、膝の上に置いて使用する場合には、タブレット端末を膝から落ちないように片手で常時押える必要があり、負担の大きい片手操作を余儀なくされている。
【０００６】
本考案は上記従来の問題に着目して為されたものであり、膝の上に載せて使用するときに、片手で押えなくともタブレット端末を安定的に載せておくことができる、新規且つ有用な携帯用タブレットアタッチメントを提供することを、その目的とする。
【課題を解決するための手段】
【０００７】
本考案者は、首を利用してタブレット端末を支持させることを思い付き、本考案を完成するに至った。
本考案は上記課題を解決するためになされたものであり、請求項１の考案は、互いに回動自在に連設された表面保護部および背面保護部と、前記保護部に設けられたヒンジ部を利用したスタンド機構と、前記背面保護部の本体の左右両側からそれぞれ外方に延びる一対の連結部と、各連結部に形成され、ベルトが連結可能な挿通孔とを備える首掛け支持機構とを備え、タブレット端末を前記背面保護部に装着し、非使用時には前記表面保護部を被せて保護すると共に、膝置き使用時には前記保護部の回動とヒンジ部での折り返しにより前記保護部を立掛けスタンドにすると共に、首掛け用のベルトを前記挿通孔に連結して前記ベルトで首掛け支持可能な状態にできることを特徴とする携帯用タブレットアタッチメントである。
【０００８】
請求項２の考案は、請求項１に記載した携帯用タブレットアタッチメントにおいて、背面側保護部は、表面保護部と連設された背面ベース部と、前記背面ベース部に対して回転自在に支持された端末装着部とで構成されており、連結部が背面ベース部側に取り付けられていることを特徴とする携帯用タブレットアタッチメントである。
【０００９】
請求項３の考案は、請求項２に記載した携帯用タブレットアタッチメントにおいて、背面ベース側の回転軸が端末装着部側に移動可能に構成されていることを特徴とする携帯用タブレットアタッチメントである。
【００１０】
請求項４の考案は、請求項３に記載した携帯用タブレットアタッチメントにおいて、端末装着部側の長円孔に背面ベース側の回転軸が摺動自在に挿入されて回転と平行移動が可能になっていることを特徴とする携帯用タブレットアタッチメントである。
【００１１】
請求項５の考案は、請求項２から４のいずれかに記載した携帯用タブレットアタッチメントにおいて、背面ベース部は金属板または樹脂板で構成されていることを特徴とする携帯用タブレットアタッチメントである。
【考案の効果】
【００１２】
本考案の携帯用タブレットアタッチメントによれば、膝の上に載せて使用するときに、片手で押えなくともタブレット端末を安定的に載せておくことができる。
従って、両手をタッチパネルの操作に使用できる。
【図面の簡単な説明】
【００１３】
【図１】本考案の実施の形態に係る携帯用タブレットアタッチメントの表面側から見た斜視図である。
【図２】図１の携帯用タブレットアタッチメントの背面側から見た斜視図である。
【図３】図１の携帯用タブレットアタッチメントの分解斜視図である。
【図４】図３の組立状態の平面図である。
【図５】図１のタブレット端末の装着状態の平面図である。
【図６】図５から更にタブレット端末を回転させたときの平面図である。
【図７】図６から更にタブレット端末を平行移動させたときの平面図である。
【図８】図７から更に立て掛け状態にさせたときの斜視図である。
【図９】図８のタブレット端末の膝置き状態での使用説明図である。
【考案を実施するための形態】
【００１４】
本考案の実施の形態に係る携帯用タブレットアタッチメント１について図面にしたがって説明する。
図１、図２に示すように、装着するタブレット端末Ｔは最近の比較的大型のディスプレイを搭載しているタイプのものが想定されている。
【００１５】
表面保護部３にタブレット端末Ｔの厚さ分を考慮して背表紙５が連設され、背表紙５には貼付け部７が連設されている。表面保護部３〜背表紙５〜貼付け部７は、一つの合成皮革調の合成樹脂素材で構成されている。この素材の内部には芯材が入っており、剛性仕様になっている。それぞれの境界には芯材が途切れており、折り曲げ可能な折曲げ部９になっている。この折曲げ部９はヒンジ部として働き、表面保護部３と貼付け部７が互いに回動自在になっている。
また、表面保護部３の中間部にも、同様な折曲げ部１１が形成されている。この折曲げ部１１は折曲げ部９と平行に配置されている。この折曲げ部１１もヒンジ部として働いている。
【００１６】
貼付け部７に、背面ベース部１３の縁部が重ね合されている。そして、複数個所でカシメ止め１５されて固定されている。背面ベース部１３は金属板または樹脂板で構成されている。背面ベース部１３は重ね合せない側の二つの角隅部１７、１７は丸みが大きく付けられている。
表面保護部３〜背表紙５〜貼付け部７〜背面ベース部１３が、上記したように一体となっており、折曲げ部９、９で折曲げられると、図示のように、タブレット端末Ｔを書籍と見立てたハードカバー状の保護ケースとなり、タブレット端末Ｔのディスプレイに表面保護部３が被せられて保護される。
【００１７】
背面ベース部１３にはそれぞれ連結部１９、１９が一体に形成されている。各連結部１９は、平板で構成されており、半円弧状に突出している。そして、そこに円状の挿通孔２１が形成されている。
各連結部１９は背面ベース部１３の貼付け部７寄りに対向した位置に配置されており、左右の連結部１９、１９は一直線状に直列状態で対向している。
【００１８】
背面ベース部１３には、中心に円穴が形成され、円筒部２３が差し込まれて内嵌固定されている。図３に示すように、この円筒部２３はタブレット端末Ｔの装着側に突出している。そして、その上端縁には外方に延びる環状フランジ２５が形成されている。
符号２７は端末装着部を示す。この端末装着部２７は長方形の受けプレート２９を備え、その周縁からは角隅部を含めて幾つかの保持ガイド３１が壁状に立ち上がっている。また、中心には比較的大きな長円孔３３が形成されている。長円孔３３は長軸側が半円弧になっており、その間は平行な直線で繋がれている。この平行部分は長方形の受けプレート２９の長辺縁に平行になっている。
【００１９】
組合せ状態では、図４に示すように、背面ベース部１３の円筒部２３に端末装着部２７の長円孔３３が嵌め込まれており、長円孔３３の縁は円筒部２３の外周面に対して摺動可能となっている。すなわち、長円孔３３に入り込んだ円筒部２３が回転軸として働くと共に、移動ガイド軸として働いて、背面ベース部１３に対する回転および平行移動が可能となっている。円筒部２３の環状フランジ２５により長円孔３３の孔縁が押えられており端末装着部２７が脱落することはない。
端末装着部２７と背面ベース部１３は略同じ大きさになっており、端末装着部２７は二つの角隅部１７、１７を除くと背面ベース部１３より外方にはみ出してはいない。従って、手が触れ易い角隅部１７には合成樹脂製の素材が当たることになり、安心態様になっている。
【００２０】
図４に示すように、端末装着部２７にタブレット端末Ｔを装着する。図５に示すように、このアタッチメント１はタブレット端末Ｔ専用になっているので、保持ガイド３１を弾性的に僅かに広げて、タブレット端末Ｔを差し入れると、タブレット端末Ｔは端末装着部２７にぴったりと嵌め込まれて脱落することはない。図６に示すように、端末装着部２７を背面ベース部１３に対して９０°回転させると共に、図７に示すように、端末装着部２７を平行移動させて長円孔３３の半円弧状の二つの孔縁のうち一方に円筒部２５を当接させて、背表紙５側に突出させると、その縁部が背面ベース部１３の縁部に揃う。
【００２１】
図８に示すように、表面保護部３〜背表紙５を折曲げ部９、９で折返し、更に折曲げ部１１で折曲げると、スタンド状態となり、タブレット端末Ｔが斜めに立て掛けられた状態となる。
【００２２】
図９で符号３５はベルトを示し、このベルト３５の両端側にはスイベルフック３７、３７がそれぞれ取り付けられている。
両端側のスイベルフック３７、３７を、背面ベース部１３の左右両側にそれぞれ配された連結部１９、１９の挿通孔２１、２１に通して連結させると、ベルト３７は背面ベース部１３を介してループ状になる。
【００２３】
このループ状になったベルト３５を作業者の首Ｎに掛ければ、タブレット端末Ｔをベルト３５で首掛け支持した状態となり、また、タブレット端末Ｔは縦向きに使用する場合が多いが、縦向きにするために縦置きにしても、作業者の腹部Ｂ側に出っ張ることはないので、椅子に座ってタブレット端末Ｔを膝Ｋに置いたときに、安定的に支持される。
従って、走行中に、ガタンガタンという比較的規則正しいリズムで縦揺れを常時受けるだけでなく、カーブを通過する際には突然大きく不規則に横揺れも受けるような移動車両中でも、両手でタブレット操作ができる。首掛けしないときにはベルト３５を外せるので、図１に示すような保護ケース状にして鞄に収納する際にも邪魔にならない。
なお、図では椅子は一般家庭で使用しているタイプが描かれているが、これは作業者が座っている状態を視認し易くするために、移動車両用の椅子に代えて描かれていることは理解されたい。
【００２４】
以上、本考案の実施の形態について詳述してきたが、具体的構成は、この実施の形態に限られるものではなく、本考案の要旨を逸脱しない範囲における設計の変更などがあっても考案に含まれる。
【産業上の利用可能性】
【００２５】
本発明の携帯用タブレットアタッチメントは、ベルトで首掛け支持できるので、膝置き作業も可能とし、タブレット端末の利用可能性を更に広げるものと期待される。
【符号の説明】
【００２６】
１…携帯用タブレットアタッチメント
３…表面保護部                        ５…背表紙
７…貼付け部                          ９…折曲げ部
１１…折曲げ部                        １３…背面ベース部
１５…カシメ止め                      １７…角隅部
１９…連結部                          ２１…挿通孔
２３…円筒部                          ２５…環状フランジ
２７…端末装着部                      ２９…受けプレート
３１…保持ガイド                      ３３…長円孔
３５…ベルト                          ３７…スイベルフック
Ｔ…タブレット端末                    Ｎ…（作業者の）首
Ｋ…（作業者の）膝                    Ｂ…（作業者の）腹部
【図１】
0003197784.tif 000003
【図２】
0003197784.tif 000004
【図３】
0003197784.tif 000005
【図４】
0003197784.tif 000006
【図５】
0003197784.tif 000007
【図６】
0003197784.tif 000008
【図７】
0003197784.tif 000009
【図８】
0003197784.tif 000010
【図９】
0003197784.tif 000011